(57)【要約】【課題】ＡＶ機器において、制御コマンドを送信して外部機器を操作する際に、製造メーカが異なっても外部機器を制御する。【解決手段】ＴＶ受像機は、接続されたＢＤプレーヤに送信する第１ベンダーＩＤ及び第２ベンダーＩＤの設定を行うベンダーＩＤ設定メニューをディスプレイに表示する。ユーザによって、第１ＨＤＭＩに対応する第１ベンダーＩＤとして格納するメーカ、及び第２ＨＤＭＩに対応する第２ベンダーＩＤとして格納するメーカが選択されると、ＴＶ受像機は、選択されたメーカに対応するベンダーＩＤを第１ベンダーＩＤ及び第２ベンダーＩＤとしてそれぞれ格納する。図中では、第１ＨＤＭＩにはＢ社が選択され、Ｂ社のベンダーＩＤが第１ベンダーＩＤとして格納される。ＴＶ受像機は、機器認証処理を行う際に、第１ベンダーＩＤとして格納されたＢ社を示すベンダーＩＤを含む＜Ｄｅｖｉｃｅ  Ｖｅｎｄｅｒ  ＩＤ＞を送信する。【選択図】図４
2013005408.tif 000002
【特許請求の範囲】
【請求項１】
外部機器と接続するための接続手段と、
前記接続手段に接続された前記外部機器に対して、制御コマンドとベンダーＩＤとを送信する送信手段とを備えるＡＶ（Ａｕｄｉｏ  Ｖｉｓｕａｌ）機器において、
複数のベンダーＩＤを記憶したベンダーＩＤ記憶手段と、
前記送信手段によって前記外部機器に送信されるベンダーＩＤを、前記ベンダーＩＤ記憶手段に記憶された複数のベンダーＩＤの中から選択するためのベンダーＩＤ選択手段とをさらに備え、
前記送信手段は、前記ベンダーＩＤ選択手段によって選択されたベンダーＩＤを前記外部機器に送信することを特徴とするＡＶ機器。
【請求項２】
前記接続手段は、複数の前記外部機器と接続され、
前記送信手段は、前記複数の外部機器のそれぞれにベンダーＩＤを送信し、
前記ベンダーＩＤ選択手段は、前記送信手段によって前記複数の外部機器のそれぞれに送信される各ベンダーＩＤを、前記ベンダーＩＤ記憶手段に記憶された複数のベンダーＩＤの中から選択することを特徴とする請求項１に記載のＡＶ機器。
【請求項３】
前記送信手段は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）の規格に従って、前記外部機器にベンダーＩＤを送信することを特徴とする請求項１又は請求項２に記載のＡＶ機器。
【発明の詳細な説明】
【技術分野】
【０００１】
本発明は、外部機器に対して、ベンダーＩＤを送信するＡＶ（Ａｕｄｉｏ  Ｖｉｓｕａｌ）機器に関する。
【背景技術】
【０００２】
現在、市場で一般的に販売されているＡＶ機器の中には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子を有する（ＨＤＭＩ接続可能な）機器が多い。これらのＨＤＭＩ接続可能なＡＶ機器の中には、「○○リンク」と呼ばれるＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）を利用した機器間の連携機能を有しているものが多い。ここで、ＨＤＭＩ−ＣＥＣとは、あるＡＶ機器（例えば、テレビジョン受像機（以下、ＴＶ受像機という）やＢＤ（Ｂｌｕ−ｒａｙ  Ｄｉｓｃ）プレーヤ）から、ＨＤＭＩケーブルで接続された他のＡＶ機器を操作する機能の規格である。
【０００３】
しかしながら、ＨＤＭＩ−ＣＥＣの規格は、緩やかな規格であり、必要最小限の機能さえ満たしていれば、その他の機能や動作については、メーカ毎に自由に仕様を定めてよいため、他のＡＶ機器から同じＣＥＣコマンドを受信した場合に、各メーカの各ＡＶ機器（の種類）毎に異なる動作を行うことが多い。また、そのような状況から、そもそも同じメーカのＡＶ機器から送信されたＣＥＣコマンドでなければ動作を行わないＡＶ機器もある。
【０００４】
上記ＡＶ機器の接続例として、図６に示すように、Ａ社製のＴＶ受像機１０１に、Ｂ社製のＢＤプレーヤ２０１と、Ｃ社製のＢＤプレーヤ２０２が接続されている場合がある。ＴＶ受像機１０１は、２つのＨＤＭＩポート１３１ａ、１３１ｂを備える。ＨＤＭＩポート１３１ａ、１３１ｂのそれぞれには、ＨＤＭＩケーブル３０１、３０２を介してＢＤプレーヤ２０１、２０２が接続されている。
【０００５】
ＢＤプレーヤ２０１がＴＶ受像機１０１に、製造メーカを示すベンダーＩＤを問い合せると（Ｓ１０１）、ＴＶ受像機１０１は自機のベンダーＩＤ（Ａ社製である旨のメッセージ）をＢＤプレーヤ２０１に返答する（Ｓ１０２）。その後、図７に示すように、ＢＤプレーヤ２０１は、ＴＶ受像機１０１からＣＥＣコマンドを受信しても、ＴＶ受像機１０１とＢＤプレーヤ２０１とは製造メーカが異なるため、このＣＥＣコマンドを無視して動作を行わない。
【０００６】
ところで、製造メーカが異なるＡＶ機器からＣＥＣコマンドを受信した場合であっても、そのＣＥＣコマンドに従って動作を行うＡＶ機器がある。ここでは、そのＡＶ機器が、図６及び図７に示すＢＤプレーヤ２０２とする。このＣ社製のＢＤプレーヤ２０２はＴＶ受像機１０１からＴＶ受像機１０１のベンダーＩＤを受信すると（Ｓ２０１、Ｓ２０２）、図７に示すように、Ａ社製のＴＶ受像機１０１から受信したＣＥＣコマンドに従って動作を行う。しかしながら、上述したように、同じメーカのＡＶ機器から送信されたＣＥＣコマンドでなければ動作しないＢＤプレーヤも多いので、ＴＶ受像機から同じＣＥＣコマンドを受信した場合であっても、ＢＤプレーヤが意図した動作を行わないことがある。
【０００７】
これに対して、特許文献１には、記憶部に記憶された自機の正式ベンダーＩＤと相手機器のベンダーＩＤとが異なり、且つ、記憶部に記憶された登録ベンダーＩＤに相手機器のベンダーＩＤが一致する場合、自機のベンダーＩＤを、正式ベンダーＩＤから一致したベンダーＩＤ（即ち相手機器のベンダーＩＤと同一のベンダーＩＤ）へ切り替えて、自機の暫定ベンダーＩＤとして送信し、ベンダーテーブルを参照して、相手機器のベンダーＩＤに基づき、相手機器から送信されたベンダーコマンドを解釈して動作する情報再生装置及び情報再生方法が開示されている。しかしながら、この情報再生装置及び情報再生方法では、相手機器がベンダーテーブルにベンダーコマンドが格納されているベンダーの機器でなければ動作を行うことができないという問題がある。また、多くのベンダーコマンドを記憶した記憶部が必要となるため、製造コストを抑制できないという問題もある。
【０００８】
また、特許文献２には、他機器からのベンダーＩＤを受信すると、そのベンダーＩＤを解析し、所定の条件に従ったメーカの機器でない場合には、ベンダーフラグを設定せず、所定の条件に従ったメーカの機器である場合には、ベンダーフラグを設定し、“ＩＤＭａｎｕｆａｃｔｕｒｅｒ  Ｎａｍｅ  フラグ”および“ベンダーフラグ”が設定されている場合には、ベンダーユニークなメッセージを通信ケーブルに送信し、不必要なメッセージを送信することを防止できる電子機器が開示されている。しかしながら、この電子機器であっても、同じメーカのＡＶ機器から送信されたＣＥＣコマンドでなければ相手側のＡＶ機器が動作を行わないという上記問題を解決できない。
【０００９】
また、特許文献３には、制御対象であるＣＥＣ機器から取得したベンダー情報に基づいて、リモコンから送信された制御内容に対応するコントロール情報を制御情報記憶部から取得し、取得したコントロール情報をＣＥＣ機器へ出力することにより、ＣＥＣ機器がどのベンダーであっても制御可能であるＣＥＣ制御装置が開示されている。しかしながら、このＣＥＣ制御装置では、制御情報記憶部に記憶されているコントロール情報しか送信できないという問題がある。また、リモコンから送信される制御内容に対応するコントロール情報を制御情報記憶部に記憶しておく必要があるため、制御情報記憶部が必要となり、製造コストを抑制できないという問題がある。
【先行技術文献】
【特許文献】
【００１０】
【特許文献１】特許第４３３４５９０号公報
【特許文献２】特許第４５３５１６１号公報
【特許文献３】特開２００９−１９４８３０号公報
【発明の概要】
【発明が解決しようとする課題】
【００１１】
本発明は、上述した問題点を解決するためになされたものであり、制御コマンドを送信して外部機器を操作する際に、外部機器の製造メーカが異なる場合であっても、この外部機器を制御可能なＡＶ機器を提供することを目的とする。
【課題を解決するための手段】
【００１２】
上記目的を達成するために請求項１の発明は、外部機器と接続するための接続手段と、前記接続手段に接続された前記外部機器に対して、制御コマンドとベンダーＩＤとを送信する送信手段とを備えるＡＶ（Ａｕｄｉｏ  Ｖｉｓｕａｌ）機器において、複数のベンダーＩＤを記憶したベンダーＩＤ記憶手段と、前記送信手段によって前記外部機器に送信されるベンダーＩＤを、前記ベンダーＩＤ記憶手段に記憶された複数のベンダーＩＤの中から選択するためのベンダーＩＤ選択手段とをさらに備え、前記送信手段は、前記ベンダーＩＤ選択手段によって選択されたベンダーＩＤを前記外部機器に送信するものである。
【００１３】
また、請求項２の発明は、請求項１に記載のＡＶ機器において、前記接続手段は、複数の前記外部機器と接続され、前記送信手段は、前記複数の外部機器のそれぞれにベンダーＩＤを送信し、前記ベンダーＩＤ選択手段は、前記送信手段によって前記複数の外部機器のそれぞれに送信される各ベンダーＩＤを、前記ベンダーＩＤ記憶手段に記憶された複数のベンダーＩＤの中から選択するものである。
【００１４】
また、請求項３の発明は、請求項１又は２に記載のＡＶ機器において、前記送信手段は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）の規格に従って、前記外部機器にベンダーＩＤを送信するものである。
【発明の効果】
【００１５】
本発明によれば、複数のベンダーＩＤの中からベンダーＩＤ選択手段によって選択されたベンダーＩＤを外部機器に送信する。そのため、複数のベンダーＩＤの中から外部機器と同じベンダーＩＤを選択することにより、外部機器のベンダーＩＤと同じベンダーＩＤを外部機器に送信することができるので、同じ製造メーカのＡＶ機器から送信された制御コマンド（例えば、ＣＥＣコマンド）でなければ動作を行わない外部機器に対して、この外部機器と同じベンダーＩＤを送信することによって、制御コマンドにより制御を行うことができる。
【図面の簡単な説明】
【００１６】
【図１】本発明の一実施形態に係るＴＶ受像機と、ＢＤプレーヤとを含むネットワークシステムの概略図。
【図２】上記ＴＶ受像機の電気的ブロックを示す構成図。
【図３】上記ＴＶ受像機におけるベンダーＩＤ設定処理の手順を示すフローチャート。
【図４】上記ＴＶ受像機のベンダーＩＤ設定処理におけるディスプレイの表示を示す説明図。
【図５】上記ＴＶ受像機とＢＤプレーヤとの機器認証処理の手順を示すフローチャート。
【図６】従来のＴＶ受像機とＢＤプレーヤとを含むネットワークシステムにおけるベンダーＩＤの送信処理を示す説明図。
【図７】上記従来のＴＶ受像機とＢＤプレーヤとを含むネットワークシステムにおけるＣＥＣコマンドの送信処理を示す説明図。
【発明を実施するための形態】
【００１７】
以下、本発明の一実施形態に係るテレビジョン（以下、ＴＶ）受信機（請求項におけるＡＶ機器）について、図１及び図２を参照して説明する。図１は、複数のＢＤ（ブルーレイディスク）プレーヤ（外部機器）４ａ、４ｂと、このＢＤプレーヤ４ａ、４ｂが接続されたＴＶ受像機１とを含むネットワークシステム１００の概略構成を示し、図２は、ＴＶ受像機１の電気的ブロック構成を示す。
【００１８】
ＴＶ受像機１と、複数のＢＤプレーヤ４ａ、４ｂとは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３ａ、３ｂを介して相互に接続されている。ＴＶ受像機１、及び複数のＢＤプレーヤ４ａ、４ｂは、いずれもＨＤＭＩに対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。
【００１９】
ＴＶ受像機１はＡ社製の製品であり、ＢＤプレーヤ４ａはＢ社製の製品であり、ＢＤプレーヤ４ｂはＣ社製の製品である。ＴＶ受像機１、及び複数のＢＤプレーヤ４ａ、４ｂは、ＨＤＭＩ−ＣＥＣに基づくＣＥＣコマンド等の送受信を行う前に、互いの機器を認証するための機器認証処理を行う。具体的には、機器認証処理では、ＨＤＭＩ−ＣＥＣのどのバージョンに対応しているかを示す＜ＣＥＣ  Ｖｅｒｓｉｏｎ＞メッセージや、相手機器に自機の固有名を知らせる＜ＯＳＤ  ｎａｍｅ＞メッセージや、相手機器がＴＶ受像機１のどのＨＤＭＩポート１８ａ、１８ｂに接続されたのかを知らせる＜Ｐｈｙｓｉｃａｌ  Ａｄｄｒｅｓｓ＞メッセージや、自機がどのメーカの製品であるかを知らせる＜Ｖｅｎｄｏｒ  ＩＤ＞メッセージ等の情報のやり取りを行う。機器認証処理は、機器の電源をオンした時や、ＨＤＭＩポート１８ａ、１８ｂに新たな外部機器を接続した際に実行される。
【００２０】
ＴＶ受像機１は、図２に示すように、アンテナ１１に接続され、デジタル放送信号を受信するチューナ部１２と、映像を表示するディスプレイ１３と、音声を出力するスピーカ１４と、リモコン（ベンダーＩＤ選択手段）２から送信されるリモコン信号を受信するリモコン信号受信部１５と、各種情報を記憶したメモリ１６とを備える。また、ＴＶ受像機１は、第１ＨＤＭＩ通信部（送信手段）１７ａと、第２ＨＤＭＩ通信部（送信手段）１７ｂと、ＨＤＭＩ規格に対応したＢＤプレーヤ４ａ、４ｂを接続するための２つのＨＤＭＩポート（接続手段）１８ａ、１８ｂと、メインマイコン（送信手段）１０とをさらに備える。
【００２１】
リモコン２は、複数のボタンを有し、ユーザによってボタンが操作されると各種動作指示をＴＶ受像機１に対して行う。具体的には例えば、ＴＶ受像機１の電源のオン／オフの指示や、第１ＨＤＭＩ通信部１７ａ、及び第２ＨＤＭＩ通信部１７ｂからＢＤプレーヤ４ａ、４ｂに送信するベンダーＩＤの選択の指示等を行うことができる。
【００２２】
チューナ部１２は、デコーダ部１２ａを有し、アンテナ１１を介して、放送局から配信される各チャンネルのデジタル放送信号を受信して、このデジタル放送信号に対して復調処理等を行い、映像信号及び音声信号をメインマイコン１０に出力する。
【００２３】
デコーダ部１２ａは、受信したデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２４】
映像デコード回路は、映像信号を含むＴＳパケットに対して復号化処理を行い、映像信号を抽出し、抽出した映像信号をメインマイコン１０に出力する。音声デコード回路は、音声信号を含むＴＳパケットに対して復号化処理を行い、音声信号を抽出し、抽出した音声信号をメインマイコン１０に出力する。データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインマイコン１０に出力する。
【００２５】
ディスプレイ１３は、チューナ部１２によって受信されたＴＶ番組の映像や、ＨＤＭＩポート１８ａ、１８ｂに入力された映像ストリームに基づく映像を表示する。スピーカ１４は、チューナ部１２によって受信されたＴＶ番組の音声や、ＨＤＭＩポート１８ａ、１８ｂに入力された音声ストリームに基づく音声を出力する。
【００２６】
リモコン信号受信部１５は、リモコン２から受信した赤外線信号を電気信号に変換してメインマイコン１０に転送する。
【００２７】
メモリ（ベンダーＩＤ記憶手段）１６は、メインマイコン１０を動作させるための制御プログラム１９ａと、ベンダーＩＤ群１９ｂと、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）１９ｃと、第１ベンダーＩＤ（ベンダーＩＤ）１９ｄと、第２ベンダーＩＤ（ベンダーＩＤ）１９ｅ等を格納している。
【００２８】
ベンダーＩＤ群１９ｂには、複数のメーカのベンダーＩＤが含まれている。ＥＤＩＤ１９ｃには、ＨＤＭＩポート１８ａ、１８ｂに接続されているＢＤプレーヤ４ａ、４ｂのぞれぞれに割り当てられた物理アドレスや、スピーカ１４によって出力可能な音声信号の音声出力情報等が含まれている。第１ベンダーＩＤ１９ｄは、ＨＤＭＩポート１８ａに接続されたＢＤプレーヤ４ａに対して送信するベンダーＩＤである。第２ベンダーＩＤ１９ｅは、ＨＤＭＩポート１８ｂに接続されたＢＤプレーヤ４ｂに対して送信するベンダーＩＤである。第１ベンダーＩＤ１９ｄ及び第２ベンダーＩＤ１９ｅは、後述するベンダーＩＤ設定処理によってユーザにより選択されたものである。
【００２９】
第１ＨＤＭＩ通信部１７ａは、ＨＤＭＩポート１８ａを介して、ＢＤプレーヤ４ａに対するＣＥＣコマンドやベンダーＩＤ等の送受信を行うと共に、ＢＤプレーヤ４ａから受信した映像ストリームをメインマイコン１０に転送する。ＨＤＭＩケーブル３ａの一端は、ＨＤＭＩポート１８ａに接続され、ＨＤＭＩケーブル３ａの他端は、ＢＤプレーヤ４ａに接続されている。
【００３０】
第２ＨＤＭＩ通信部１７ｂは、ＨＤＭＩポート１８ｂを介して、ＢＤプレーヤ４ｂに対するＣＥＣコマンドやベンダーＩＤ等の送受信を行うと共に、ＢＤプレーヤ４ｂから受信した映像ストリームをメインマイコン１０に転送する。ＨＤＭＩケーブル３ｂの一端は、ＨＤＭＩポート１８ｂに接続され、ＨＤＭＩケーブル３ｂの他端は、ＢＤプレーヤ４ｂに接続されている。
【００３１】
メインマイコン１０は、映像処理部１０ａと、ベンダーＩＤ情報設定部１０ｂと、機器認証処理部１０ｃとを有し、ＴＶ受像機１の装置各部を制御する。メインマイコン１０は、リモコン２から送信された入力元切換指示に応じて、映像ストリームの入力元のＨＤＭＩポート１８ａ、１８ｂを切り換え、切換先のＨＤＭＩポート１８ａ、１８ｂに接続されたＢＤプレーヤ４ａ、４ｂから入力された映像ストリームに基づく映像信号をディスプレイ１３に出力すると共に、ＢＤプレーヤ４ａ、４ｂから入力された音声ストリームに基づく音声信号をスピーカ１４に出力する制御処理を行う。
【００３２】
映像処理部１０ａは、リモコン２から送信された入力元切換指示に応じて、ＢＤプレーヤ４ａ、４ｂのいずれかから入力された映像ストリームの解像度の変換処理等を行い、変換処理後の映像ストリームをディスプレイ１３に表示させる処理を行う。
【００３３】
ベンダーＩＤ情報設定部１０ｂは、ベンダーＩＤ設定メニュー画面をディスプレイ１３に表示させて、複数のベンダーＩＤを含むベンダーＩＤ群１９ｂの中から、ユーザがリモコン２を操作することによって選択した内容に応じたベンダーＩＤを、第１ベンダーＩＤ１９ｄ及び第２ベンダーＩＤ１９ｅとしてメモリ１６に格納する処理を行う。
【００３４】
機器認証処理部１０ｃは、ＨＤＭＩポート１８ａ、１８ｂに接続されたＢＤプレーヤ４ａ、４ｂを認証するための機器認証処理を行う。
【００３５】
次に、ＴＶ受像機１におけるベンダーＩＤ設定処理について、図３及び図４を参照して説明する。図３は、ベンダーＩＤ設定処理の手順を示すフローチャートである。図４は、ＴＶ受像機１のディスプレイ１３の表示を示す。
【００３６】
まず、ユーザがリモコン２を操作して、ベンダーＩＤ設定メニューの表示を指示すると（Ｓ１）、メインマイコン１０は、ベンダーＩＤ情報設定部１０ｂを用いて、ベンダーＩＤ設定メニューをディスプレイ１３に表示する（Ｓ２）。具体的には、図４に示すように、ディスプレイ１３には、第１ＨＤＭＩ（ＨＤＭＩポート１８ａ）に接続されたＢＤプレーヤ４ａに送信する第１ベンダーＩＤ１９ｄの内容の設定と、第２ＨＤＭＩ（ＨＤＭＩポート１８ｂ）に接続されたＢＤプレーヤ４ｂに送信する第２ベンダーＩＤ１９ｅの内容の設定とを行う画面が表示される。
【００３７】
そして、ユーザがリモコン２を操作することによって、第１ＨＤＭＩに対応する第１ベンダーＩＤ１９ｄとして格納するメーカ、及び第２ＨＤＭＩに対応する第２ベンダーＩＤ１９ｅとして格納するメーカ（ベンダー）が選択されると（Ｓ３）、メインマイコン１０は、ベンダーＩＤ情報設定部１０ｂを用いて、ユーザによって選択されたメーカに対応するベンダーＩＤを第１ベンダーＩＤ１９ｄ及び第２ベンダーＩＤ１９ｅとしてそれぞれ格納する。具体的には、図４では、第１ＨＤＭＩにはＢ社が選択され、Ｂ社のベンダーＩＤが第１ベンダーＩＤ１９ｄとして格納（設定）される。第２ＨＤＭＩにはＣ社が選択され、Ｃ社のベンダーＩＤが第２ベンダーＩＤ１９ｅとして格納（設定）される。
【００３８】
次に、ＴＶ受像機１における機器認証処理について、図５に示すフローチャートを参照して説明する。ここでは、ＢＤプレーヤ４ａとＴＶ受像機１との機器認証処理について説明する。
【００３９】
まず、ＴＶ受像機１のメインマイコン１０は、機器認証処理部１０ｃを用いて、ＢＤプレーヤ４ａから＜Ｐｏｌｌｉｎｇ  Ｍｅｓｓａｇｅ＞を受信すると（Ｓ２１）、ＡＣＫをＢＤプレーヤ４ａに返答する（Ｓ２２）。そして、ＢＤプレーヤ４ａから、＜Ｇｉｖｅ  Ｐｈｙｓｉｃａｌ  Ａｄｄｒｅｓｓ＞メッセージを受信すると（Ｓ２３）、＜Ｒｅｐｏｒｔ  Ｐｈｙｓｉｃａｌ  Ａｄｄｒｅｓｓ＞メッセージをＢＤプレーヤ４ａに返答して、ＢＤプレーヤ４ａに物理アドレスを送信する（Ｓ２４）。
【００４０】
そして、ＴＶ受像機１のメインマイコン１０は、機器認証処理部１０ｃを用いて、ＢＤプレーヤ４ａから＜Ｇｉｖｅ  Ｖｅｎｄｅｒ  ＩＤ＞メッセージを受信すると（Ｓ２５）、＜Ｄｅｖｉｃｅ  Ｖｅｎｄｅｒ  ＩＤ＞メッセージを送信する（Ｓ２６）。ここで、＜Ｄｅｖｉｃｅ  Ｖｅｎｄｅｒ  ＩＤ＞メッセージに含まれるベンダーＩＤは、第１ベンダーＩＤ１９ｄとして格納されたベンダーＩＤであり、例えば、ＢＤプレーヤ４ａの製造メーカであるＢ社を示すベンダーＩＤである。
【００４１】
上述したように、本実施形態に係るＴＶ受像機１においては、複数のベンダーＩＤを含むベンダーＩＤ群１９ｂの中から、ユーザがリモコン２を操作することによって選択したベンダーＩＤを第１ベンダーＩＤ１９ｄ及び第２ベンダーＩＤ１９ｅとし、第１ベンダーＩＤ１９ｄをＢＤプレーヤ４ａに送信し、第２ベンダーＩＤ１９ｅをＢＤプレーヤ４ｂに送信する。そのため、ベンダーＩＤ群１９ｂに含まれる複数のベンダーＩＤの中から、ＢＤプレーヤ４ａ、４ｂと同じベンダーＩＤをユーザが選択することにより、ＢＤプレーヤ４ａ、４ｂのベンダーＩＤと同じベンダーＩＤをＢＤプレーヤ４ａ、４ｂに送信することができるので、同じベンダーＩＤのＴＶ受像機から送信されたＣＥＣコマンドでなければ動作を行わないＢＤプレーヤについても、ＴＶ受像機１から送信したＣＥＣコマンドにより制御を行うことができる。
【００４２】
また、ＴＶ受像機１においては、特許文献１の情報再生装置のようにベンダーコマンドを記憶する必要がないため、メモリ１６の記憶容量を小さくできるので、製造コストを抑制できる。また、ＴＶ受像機１においては、特許文献１の装置と異なり、ＢＤプレーヤ４ａ、４ｂがベンダーテーブルにベンダーコマンドが格納されているベンダーの機器でなくても、ＢＤプレーヤ４ａ、４ｂにＣＥＣコマンドを送信することができるため、汎用性が高い。
【００４３】
また、ＴＶ受像機１、及びＢＤプレーヤ４ａ、４ｂは、ＨＤＭＩ−ＣＥＣ規格に従ったＣＥＣコマンドの送受信を行うので、独自プロトコルに対応した専用機器や専用ソフトウェア等の導入コストをかける必要がない。従って、ＴＶ受像機１の製造コストを抑制することができる。
【００４４】
なお、本発明は、上記実施形態の構成に限られず、発明の趣旨を変更しない範囲で種々の変形が可能である。例えば、上記実施形態において、請求項に示すＡＶ機器がＴＶ受像機である例を示したが、これに限られず、ＨＤＭＩ規格に対応したＡＶ機器であればよい。
【００４５】
また、請求項に示す外部機器がＢＤプレーヤである例を示したが、ＨＤＭＩ規格に対応した外部機器であればよい。
【符号の説明】
【００４６】
１  ＴＶ受信機（ＡＶ機器）
２  リモコン（ベンダーＩＤ選択手段）
１０  メインマイコン（送信手段）
４ａ、４ｂ  ＢＤプレーヤ（外部機器）
１７ａ  第１ＨＤＭＩ通信部（送信手段）
１７ｂ  第２ＨＤＭＩ通信部（送信手段）
１８ａ、１８ｂ  ＨＤＭＩポート（接続手段）
１９ｂ  ベンダーＩＤ群（ベンダーＩＤ記憶手段）
１９ｄ  第１ベンダーＩＤ（ベンダーＩＤ）
１９ｅ  第２ベンダーＩＤ（ベンダーＩＤ）
【図１】
2013005408.tif 000003
【図２】
2013005408.tif 000004
【図３】
2013005408.tif 000005
【図４】
2013005408.tif 000006
【図５】
2013005408.tif 000007
【図６】
2013005408.tif 000008
【図７】
2013005408.tif 000009